(57)【要約】【解決手段】床スラブ１の上面に配設された断熱兼床高調整ブロック規制ボード２と、該断熱兼床高調整ブロック規制ボード２に穿設された全ての円形孔Ｈ０、Ｈ１〜Ｈ４に挿着され、且つ、床スラブ１の上面に載置された、全て同じ高さｔ１’を有する防震ブロック３と、該防震ブロック３に載置され、且つ、その下部が、前記円形孔Ｈ０、Ｈ１〜Ｈ４に挿着された、高さが異なる床高調整ブロック４から選択された床高調整ブロック４とを有する床構造に関するものである。【効果】適当な高さを有する床高調整ブロックを選択することにより、起伏を有する床スラブに施工される床構造の正確な水平出しを行うことができる。【選択図】図１
2009174203.tif 000002
【特許請求の範囲】
【請求項１】
床スラブの上面に配設された断熱兼床高調整ブロック規制ボードと、該断熱兼床高調整ブロック規制ボードに穿設された全ての孔に挿着され、且つ、床スラブの上面に載置された、全て同じ高さを有する防震ブロックと、該防震ブロックに載置され、且つ、その下部が、前記孔に挿着された、高さが異なる床高調整ブロックから選択された床高調整ブロックとを有することを特徴とする床構造。
【請求項２】
少なくとも、床高調整ブロックの４つの角部が、断熱兼床高調整ブロック規制ボードに穿設された孔の内周面に当接、或いは、該孔の内周面の近傍に位置するように構成されていることを特徴とする請求項１に記載の床構造。
【請求項３】
床スラブの上面に配設された断熱兼床高調整ブロック規制ボードに、多数の孔を穿設し、次いで、基準水平面としての水平レーザービームから、基準となる１つの基準孔内に位置する床スラブまでの基準高さ及び基準孔以外の孔内に位置する床スラブの上面から、水平レーザービームまでの高さを、それぞれ測定するとともに、基準高さと該基準孔以外の孔内に位置する床スラブの上面から、水平レーザービームまでの高さとの差を計算し、次いで、断熱兼床高調整ブロック規制ボードに穿設された基準孔及び該基準孔以外の孔に、同じ高さを有する防震ブロックを、該防震ブロックが、床スラブに載置されるように挿着し、その後、基準孔に、基準床高調整ブロックを、該基準床高調整ブロックが、防震ブロックの上面に載置されるように挿着し、更に、基準孔以外の孔には、基準高さと該基準孔以外の孔内に位置する床スラブの上面から、水平レーザービームまでの高さとの差を相殺するような高さを有する床高調整ブロックを載置するように構成されていることを特徴とする床構造の施工方法。
【請求項４】
少なくとも、床高調整ブロックの４つの角部が、孔の内周面に当接、或いは、孔の内周面の近傍に位置するように、床高調整ブロックを、断熱兼床高調整ブロック規制ボードに穿設された孔に挿着するように構成されていることを特徴とする請求項３に記載の床構造の施工方法。
【発明の詳細な説明】
【技術分野】
【０００１】
本願発明は、コンクリート製の床スラブ上に施工される床構造及び該床構造の施工方法に関するものである。
【背景技術】
【０００２】
従来、コンクリート製の床スラブ上に、高さ調整機構を有する脚部材を配設するとともに、脚部材の上に、支持板を介して、床下地パネルを載置し、この床下地パネルの上に、フローリング材を敷き詰めることにより形成された床構造が、一例として、特許文献１に開示されている。
【０００３】
コンクリート製の床スラブには、起伏があるので、水平な床構造を施工するために、床下地パネルの上面に、水平器を載置するとともに、脚部材の高さ調整機構のナットを上下動させることにより、床下地パネルの上面の水平出しを行い、床下地パネルを水平に施工することになる。このような水平出し作業を、床下地パネルの多くの箇所において行うことになる。
【０００４】
【特許文献１】特開２００４−２３８９２５号公報
【発明の開示】
【発明が解決しようとする課題】
【０００５】
上述した床構造においては、水平な床構造を施工するために、床下地パネルの上面に、作業者が乗って、水平器を、床下地パネルの上面に載置して、床下地パネルの水平出し作業を行うことになるが、床下地パネルの上に、作業者が乗った際に、床下地パネルが湾曲することになり、従って、床下地パネルの正確な水平出しを行うことができないという問題があった。
【０００６】
また、床下地パネルの多数箇所において、水平器を用いて、床下地パネルの水平出しを行っても、水平器付近の局部的な床下地パネルの水平出しを行うことができるが、床構造が施工されるコンクリート製の床スラブの全面に亘たって、床下地パネルの上面の水平出しを行うことは困難であった。
【０００７】
更に、作業者が、床下地パネルの上に乗らずに、水平器を用いて、床下地パネルの水平出しを行う場合でも、床下地パネル自体が、反り返っていたり、湾曲している場合があり、このような場合には、床下地パネルの正確な水平出しを行うことが困難であった。
【０００８】
本発明の目的は、上述した従来の床構造及び該床構造の施工方法が有する課題を解決することにある。
【課題を解決するための手段】
【０００９】
本発明は、上述した目的を達成するために、床構造において、第１には、床構造が、床スラブの上面に配設された断熱兼床高調整ブロック規制ボードと、該断熱兼床高調整ブロック規制ボードに穿設された全ての孔に挿着され、且つ、床スラブの上面に載置された、全て同じ高さを有する防震ブロックと、該防震ブロックに載置され、且つ、その下部が、上記孔に挿着された、高さが異なる床高調整ブロックから選択された床高調整ブロックとを有しているものであり、第２には、少なくとも、床高調整ブロックの４つの角部が、断熱兼床高調整ブロック規制ボードに穿設された孔の内周面に当接、或いは、該孔の内周面の近傍に位置するように構成したものである。
【００１０】
本発明は、上述した目的を達成するために、床構造の施工方法において、第１には、床スラブの上面に配設された断熱兼床高調整ブロック規制ボードに、多数の孔を穿設し、次いで、基準水平面としての水平レーザービームから、基準となる１つの基準孔内に位置する床スラブまでの基準高さ及び基準孔以外の孔内に位置する床スラブの上面から、水平レーザービームまでの高さを、それぞれ測定するとともに、基準高さと該基準孔以外の孔内に位置する床スラブの上面から、水平レーザービームまでの高さとの差を計算し、次いで、断熱兼床高調整ブロック規制ボードに穿設された基準孔及び該基準孔以外の孔に、同じ高さを有する防震ブロックを、該防震ブロックが、床スラブに載置されるように挿着し、その後、基準孔に、基準床高調整ブロックを、該基準床高調整ブロックが、防震ブロックの上面に載置されるように挿着し、更に、基準孔以外の孔には、基準高さと該基準孔以外の孔内に位置する床スラブの上面から、水平レーザービームまでの高さとの差を相殺するような高さを有する床高調整ブロックを載置するように構成したものであり、第２には、少なくとも、床高調整ブロックを、その４つの角部が、断熱兼床高調整ブロック規制ボードに穿設された孔の内周面に当接、或いは、該孔の内周面の近傍に位置するように、上記孔に挿着するように構成したものである。
【発明の効果】
【００１１】
床構造を、床スラブの上面に配設された断熱兼床高調整ブロック規制ボードと、該断熱兼床高調整ブロック規制ボードに穿設された全ての孔に挿着され、且つ、床スラブの上面に載置された、全て同じ高さを有する防震ブロックと、該防震ブロックに載置され、且つ、その下部が、上記孔に挿着された、高さが異なる床高調整ブロックから選択された床高調整ブロックとにより構成したので、適当な高さを有する床高調整ブロックを選択することにより、起伏を有する床スラブに施工される床構造の正確な水平出しを行うことができる。
【００１２】
また、断熱兼床高調整ブロック規制ボードに穿設された孔に、防震ブロックの全部及び床高調整ブロックの下部が挿着されているので、床構造の施工中に、防震ブロックや床高調整ブロックが水平移動するようなことがなく、従って、防震ブロックを、床スラブにビスや釘等の固着具を用いて固着したり、床高調整ブロックを、防震ブロックにビスや釘等の固着具を用いて固着したりする必要がなく、よって、床構造の施工作業の作業性が向上する。
【００１３】
更に、少なくとも、床高調整ブロックの４つの角部が、断熱兼床高調整ブロック規制ボードに穿設された孔の内周面に当接、或いは、該孔の内周面の近傍に位置するように構成したので、床構造の施工中における床高調整ブロックの水平移動が抑制され、従って、床構造の施工作業の作業性が更に向上する。
【００１４】
床スラブの上面に配設された断熱兼床高調整ブロック規制ボードに、多数の孔を穿設し、次いで、基準水平面としての水平レーザービームから、基準となる１つの基準孔内に位置する床スラブまでの基準高さ及び基準孔以外の孔内に位置する床スラブの上面から、水平レーザービームまでの高さを、それぞれ測定するとともに、基準高さと該基準孔以外の孔内に位置する床スラブの上面から、水平レーザービームまでの高さとの差を計算し、次いで、断熱兼床高調整ブロック規制ボードに穿設された基準孔及び該基準孔以外の孔に、同じ高さを有する防震ブロックを、該防震ブロックが、床スラブに載置されるように挿着し、その後、基準孔に、基準床高調整ブロックを、該基準床高調整ブロックが、防震ブロックの上面に載置されるように挿着し、更に、基準孔以外の孔には、基準高さと該基準孔以外の孔内に位置する床スラブの上面から、水平レーザービームまでの高さとの差を相殺するような高さを有する床高調整ブロックを載置するように構成したので、床スラブの全面に亘たって、床構造の正確な水平出しを行うことができる。  
【００１５】
また、防震ブロック及び床高調整ブロックが、断熱兼床高調整ブロック規制ボードに穿設された孔に挿着されるように構成したので、床構造の施工中に、防震ブロックや床高調整ブロックが水平移動するようなことがなく、従って、防震ブロックを、床スラブにビスや釘等の固着具を用いて固着したり、床高調整ブロックを、防震ブロックにビスや釘等の固着具を用いて固着したりする必要がなく、よって、床構造の施工作業の作業性が向上する。
【００１６】
更に、少なくとも、床高調整ブロックを、その４つの角部が、断熱兼床高調整ブロック規制ボードに穿設された孔の内周面に当接、或いは、該孔の内周面の近傍に位置するように、上記孔に挿着するように構成したので、床構造の施工中における床高調整ブロックの水平移動が抑制され、従って、床構造の施工作業の作業性が更に向上する。
【００１７】
更にまた、従来のように、水平器を用いて、床下地パネルの水平出しを行うのではなく、反り返りや湾曲のない床高調整ブロックの水平出しを行うようにしたので、床下地パネル自体が反り返っていたり、湾曲していても、精度の高い床下地パネルの水平出しを行うことができる。
【実施例】
【００１８】
以下に、本発明の床構造及び該床構造の施工方法について説明するが、本発明の趣旨を越えない限り、何ら、本実施例に何ら限定されるものではない。なお、以下の実施例においては．床構造が施工される部屋の平面形状が、方形の場合について説明するが、部屋の平面形状は、何ら方形に限定されるものではない。
【００１９】
１は、コンクリート製の床スラブ（以下、単に、床スラブと称する。）であり、２は、床スラブ１の上面に敷き詰められた、断熱と後述する防震ブロックや床高調整ブロックの水平移動を規制する板状部材（以下、単に、断熱兼床高調整ブロック規制ボードという。）である。
【００２０】
図１及び図２に示されているように、断熱兼床高調整ブロック規制ボード２を、床スラブ１に敷き詰めた後、図３に示されているように、墨壺等を使用して、線引きを行う。線引きは、先ず最初に、壁Ｗから所定の距離を置いて、壁Ｗ付近に位置する断熱兼床高調整ブロック規制ボード２の上面に、壁Ｗに沿って、線（以下、この線を、壁近傍線と称する。）Ｌ１、Ｌ２を引く。次いで、相対する一方の壁近傍線Ｌ１間に、所定の間隔で、壁近傍線Ｌ１に平行に、適当数の線Ｌ１ａを引くとともに、同様に、相対するもう一方の壁近傍線Ｌ２間にも、所定の間隔で、壁近傍線Ｌ２に平行に、適当数の線Ｌ２ａを引く。
【００２１】
次いで、図４に示されているように、壁近傍線Ｌ１と壁近傍線Ｌ２との交点Ｐ１に、所定の直径を有するとともに、床スラブ１まで達する円形孔Ｈ１を穿設する。また、一方の壁近傍線Ｌ１と該壁近傍線Ｌ１に直交する線Ｌ２ａとの交点Ｐ２にも、上記の円形孔Ｈ１と同じ直径を有するとともに、床スラブ１まで達する円形孔Ｈ２を穿設する。更に、もう一方の壁近傍線Ｌ２と該壁近傍線Ｌ２に直交する線Ｌ１ａとの交点Ｐ３にも、上記の円形孔Ｈ１と同じ直径を有するとともに、床スラブ１まで達する円形孔Ｈ３を穿設する。更にまた、一方の壁近傍線Ｌ１に平行な線Ｌ１ａと、もう一方の壁近傍線Ｌ２に平行な線Ｌ２ａとの交点Ｐ４にも、上記の円形孔Ｈ１と同じ直径を有するとともに、床スラブ１まで達する円形孔Ｈ４を穿設する。このようにして、壁近傍線Ｌ１、Ｌ２や線Ｌ１ａ、Ｌ２ａの交点に、円形孔Ｈ１、Ｈ２、Ｈ３、Ｈ４穿設する。
【００２２】
次いで、図５に示されているように、断熱兼床高調整ブロック規制ボード２の上面の適当な箇所に、例えば、中央部に、公知のレーザーレベル計Ｍを載置して、水平レーザービームｍ１を放射状に発射する。
【００２３】
その後、図６に示されているように、円形孔Ｈ１〜Ｈ４に、物差しＲを挿入して、円形孔Ｈ１〜Ｈ４の略中央に位置する床スラブ１の上面から、レーザーレベル計Ｍの水平レーザービームｍ１迄の高さを測定する。断熱兼床高調整ブロック規制ボード２に穿設された円形孔Ｈ１〜Ｈ４の全てについて、基準水平面としての水平レーザービームｍ１から各円形孔Ｈ１〜Ｈ４内の略中央に位置する床スラブ１の上面までの高さ測定を行う。なお、以下においては、説明の都合上、図における円形孔には、主として、符号Ｈ４が付されている。
【００２４】
上述した円形孔Ｈ１〜Ｈ４のうち、１つの特定の円形孔Ｈ１〜Ｈ４（以下、基準円形孔と称し、符号Ｈ０を付す。なお、図５及び図６には、便宜的に、左側に位置する円形孔が、基準円形孔として示されている。）内の略中央に位置する床スラブ１の上面から、水平レーザービームｍ１までの高さを、基準高さと称し、符号Ｔ０を付す。そして、基準円形孔Ｈ０以外の円形孔Ｈ１〜Ｈ４内に位置する床スラブ１の上面から、水平レーザービームｍ１までの高さＴ１、Ｔ２・・・と基準円形孔Ｈ０の基準高さＴ０との差Δｔ１（Ｔ０−Ｔ１）、Δｔ２（Ｔ０−Ｔ２）・・・を計算しておく。
【００２５】
図１、図７及び図８において、３は、断熱兼床高調整ブロック規制ボード２に穿設された基準円形孔Ｈ０及び基準円形孔Ｈ０以外の円形孔Ｈ１〜Ｈ４、即ち、全ての円形孔Ｈ０、Ｈ１〜Ｈ４に挿着されるゴム等からなる平面形状が正方形状の防震ブロックであり、防震ブロック３は、角柱状の角柱部３ａと角柱部３ａの裏面に垂設された複数の柱状部３ｂとから構成されている。全ての防震ブロック３の高さｔ１’及び平面形状は同じであり、防震ブロック３は、全て、同一形状に形成されている。このように、断熱兼床高調整ブロック規制ボード２に穿設された円形孔Ｈ０、Ｈ１〜Ｈ４に、防震ブロック３を挿着することにより、床構造の施工中に、防震ブロック３が水平移動するようなことを防止することができ、従って、防震ブロック３を、ビスや釘等の固着具を用いて、床スラブ１に固着する必要がなく、ひいては、床構造の施工作業の作業性が向上する。
【００２６】
図９に示されているように、上述した構成を有する防震ブロック３を、断熱兼床高調整ブロック規制ボード２に穿設された、基準円形孔Ｈ０を含め全ての円形孔Ｈ０、Ｈ１〜Ｈ４に、その下面が、床スラブ１の上面に載置されるように挿着する。防震ブロック３を、断熱兼床高調整ブロック規制ボード２に穿設された全ての円形孔Ｈ０、Ｈ１〜Ｈ４に挿着した際には、防震ブロック３の上面３ａ１が、断熱兼床高調整ブロック規制ボード２の上面２ａより、所定の距離だけ下がった位置に位置するように構成されている。また、防震ブロック３を、断熱兼床高調整ブロック規制ボード２に穿設された全ての円形孔Ｈ０、Ｈ１〜Ｈ４に挿着した際には、防震ブロック３の４つの角部３ｃが、円形孔Ｈ０、Ｈ１〜Ｈ４の内周面Ｈ’に当接、或いは、円形孔Ｈ１〜Ｈ４の内周面Ｈ’の近傍に位置するように構成されている。なお、柱状部３ｂを省略し、防震ブロック３全体を、角柱部３ａとすることもできる。
【００２７】
図１、図８及び図１０において、４は、平面形状が正方形状の床高調整ブロックであり、床高調整ブロック４の平面形状は、防震ブロック３の平面形状と略同一に形成されている。床高調整ブロック４は、断熱兼床高調整ブロック規制ボード２に穿設された、基準円形孔Ｈ０を含め全ての円形孔Ｈ０、Ｈ１〜Ｈ４に挿着された防震ブロック３の上面３ａ１に載置されるように、全ての円形孔Ｈ０、Ｈ１〜Ｈ４に挿着されことになる。また、床高調整ブロック４を、断熱兼床高調整ブロック規制ボード２に穿設された全ての円形孔Ｈ０、Ｈ１〜Ｈ４に挿着した際には、床高調整ブロック４の上面４ａが、断熱兼床高調整ブロック規制ボード２の上面２ａより、上方に突出するように構成されている。また、床高調整ブロック４を、断熱兼床高調整ブロック規制ボード２に穿設された全ての円形孔Ｈ０、Ｈ１〜Ｈ４に挿着した際には、床高調整ブロック４の４つの角部４ｂが、円形孔Ｈ０、Ｈ１〜Ｈ４の内周面Ｈ’に当接、或いは、円形孔Ｈ０、Ｈ１〜Ｈ４の内周面Ｈ’の近傍に位置するように構成されている。
【００２８】
床高調整ブロック４には、その高さｔ２’が異なる、多数の床高調整ブロック４が用意されている。床高調整ブロック４の高さｔ２’は、床高調整ブロック４を、断熱兼床高調整ブロック規制ボード２に穿設された全ての円形孔Ｈ０、Ｈ１〜Ｈ４に挿着された防震ブロック３の上面３ａ１に載置した際に、床高調整ブロック４の上面４ａが、断熱兼床高調整ブロック規制ボード２の上面２ａより、上方に突出するような高さｔ２’を有している。
【００２９】
上述したように、防震ブロック３を、断熱兼床高調整ブロック規制ボード２に穿設された円形孔Ｈ０、Ｈ１〜Ｈ４に挿着した際には、防震ブロック３の上面３ａ１が、断熱兼床高調整ブロック規制ボード２の上面２ａより、所定の距離だけ下がった位置に位置するように構成されているので、床高調整ブロック４の下部は、円形孔Ｈ０、Ｈ１〜Ｈ４内に位置することになり、従って、床構造の施工中に、床高調整ブロック４が水平移動するようなことを防止することができ、よって、床高調整ブロック４を、ビスや釘等の固着具を用いて、防震ブロック３に固着する必要がなく、ひいては、床構造の施工作業の作業性が向上する。
【００３０】
床高調整ブロック４には、基準円形孔Ｈ０（図１１においても、図５や図６と同様に、左側に位置している。）に挿着される特定な１つの床高調整ブロック（以下、この床高調整ブロックを、基準床高調整ブロックと称し、符号４０を付す。）４０の高さｔ０から、所定の単位厚さ（例えば、１ｍｍ単位）で異なる高さｔ２’を有する多数の床高調整ブロック４が用意されている。例えば、基準床高調整ブロック４０の基準高さｔ０より、１ｍｍ高い床高調整ブロック４や２ｍｍ高い床高調整ブロック４や３ｍｍ高い床高調整ブロック４等を用意したり、或いは／及び、基準床高調整ブロック４０の基準高さｔ０より、１ｍｍ低い床高調整ブロック４や２ｍｍ低い床高調整ブロック４や３ｍｍ低い床高調整ブロック４等を用意しておく。
【００３１】
断熱兼床高調整ブロック規制ボード２に穿設された全ての円形孔Ｈ０、Ｈ１〜Ｈ４に、全て同じ高さ  ｔ１’を有する防震ブロック３を挿着した後、全ての円形孔Ｈ０、Ｈ１〜Ｈ４に、床高調整ブロック４を挿着することになるが、この際、高さｔ２’の異なる多数の床高調整ブロック４に中から、上述したようにして計算された、基準円形孔Ｈ０以外の円形孔Ｈ１〜Ｈ４内に位置する床スラブ１の上面から、水平レーザービームｍ１までの高さＴ１、Ｔ２・・・と基準円形孔Ｈ０の基準高さＴ０との差Δｔ１（Ｔ０−Ｔ１）、Δｔ２（Ｔ０−Ｔ２）・・・を相殺するような高さを有する床高調整ブロック４を選択し、このようにして選択された床高調整ブロック４を、断熱兼床高調整ブロック規制ボード２に穿設された円形孔Ｈ１〜Ｈ４に挿着されている防震ブロック３に載置されるように、円形孔Ｈ１〜Ｈ４に挿着する。
【００３２】
図１１を用いて、より具体的に、基準円形孔Ｈ０以外の円形孔Ｈ１〜Ｈ４内に位置する床スラブ１の上面から、水平レーザービームｍ１までの高さＴ１、Ｔ２・・・と基準円形孔Ｈ０の基準高さＴ０との差Δｔ１（Ｔ０−Ｔ１）、Δｔ２（Ｔ０−Ｔ２）・・・を相殺するような高さを有する床高調整ブロック４の選択について説明する。なお、一例として、基準円形孔Ｈ０以外の円形孔Ｈ４ａ、Ｈ４ｂ内に位置する床スラブ１の上面から、水平レーザービームｍ１までの高さＴ１、Ｔ２が、基準円形孔Ｈ０の基準高さＴ０より高い場合を用いて説明する。
【００３３】
円形孔Ｈ４ａ内に位置する床スラブ１の上面から水平レーザービームｍ１までの高さＴ１と、基準円形孔Ｈ０の基準高さＴ０との高さＴ１との差が、Δｔ１（Ｔ１−Ｔ０）の場合には、基準床高調整ブロック４０の高さｔ０よりも、Δｔ１だけ高い高さｔ２’を有する床高調整ブロック４を選択し、このようにして選択された床高調整ブロック４を、断熱兼床高調整ブロック規制ボード２の防震ブロック３が挿着されている円形孔Ｈ４ａに挿着する。このように、床高調整ブロック４を、適宜、選択することにより、基準円形孔Ｈ０に挿着された基準床高調整ブロック４０の上面４０ａと、円形孔Ｈ４ａに挿着された床高調整ブロック４の上面４ａとが、同一水平面となる水平出しを行うことができる。同様に、円形孔Ｈ４ｂ内に位置する床スラブ１の上面から水平レーザービームｍ１までの高さＴ２と、基準円形孔Ｈ０の基準高さＴ０との高さＴ２との差が、Δｔ２（Ｔ２−Ｔ０）の場合には、基準床高調整ブロック４０の高さｔ０よりも、Δｔ２だけ高い高さｔ２’を有する床高調整ブロック４を選択し、このようにして選択された床高調整ブロック４を、断熱兼床高調整ブロック規制ボード２の防震ブロック３が挿着されている円形孔Ｈ４ｂに挿着する。このように、床高調整ブロック４を、適宜、選択することにより、基準円形孔Ｈ０に挿着された基準床高調整ブロック４０の上面４０ａと、円形孔Ｈ４ｂに挿着された床高調整ブロック４の上面４ａとが、同一水平面となる水平出しを行うことができる。
【００３４】
上述した水平出し作業を、円形孔Ｈ１〜Ｈ４の全てについて行うことにより、      、断熱兼床高調整ブロック規制ボード２に穿設された円形孔Ｈ１〜Ｈ４に挿着された全ての床高調整ブロック４の上面４ａを同一水平面とすることができる。
【００３５】
その後、水平出しされた床高調整ブロック４の上面４ａに、図１、図８及び図１２に示されているような、同一の厚さｔ３’を有する平面形状が方形状の受台ブロック５を載置する。次いで、受台ブロック５の上面５ａに、同じ厚さを有する床下地パネル６を敷き詰めるとともに、ビスや釘等の適当な固着具を用いて、床下地パネル６を、受台ブロック５に固着する。その後、床下地パネル６の上面に、同じ厚さを有するフローリング材７を敷き詰めることにより、図１に示されているような、上面が水平な床構造が施工されることになる。また、隣接する床下地パネル６の互いに対向する垂直端面６ａは、受台ブロック５の上面５ａに位置するように構成されている。なお、壁Ｗ付近い位置する床下地パネル６の場合には、床下地パネル６の端部付近が、受台ブロック５の上面５ａに載置されることになる。
【００３６】
なお、上述した実施例には、防震ブロック３を、断熱兼床高調整ブロック規制ボード２に穿設された全ての円形孔Ｈ０、Ｈ１〜Ｈ４に挿着した際には、防震ブロック３の４つの角部３ｃが、円形孔Ｈ０、Ｈ１〜Ｈ４の内周面Ｈ’に当接、或いは、円形孔Ｈ０、Ｈ１〜Ｈ４の内周面Ｈ’の近傍に位置するように構成されているが、少なくとも、床高調整ブロック４の４つの角部４ｂが、円形孔Ｈ０、Ｈ１〜Ｈ４の内周面Ｈ’に当接、或いは、円形孔Ｈ０、Ｈ１〜Ｈ４の内周面Ｈ’の近傍に位置するように構成されているが、少なくとも、床高調整ブロック４の４つの角部４ｂが、円形孔Ｈ０、Ｈ１〜Ｈ４の内周面Ｈ’に当接、或いは、円形孔Ｈ０、Ｈ１〜Ｈ４の内周面Ｈ’の近傍に位置するように構成されている場合には、防震ブロック３の４つの角部３ｃが、円形孔Ｈ０、Ｈ１〜Ｈ４の内周面Ｈ’から、所定距離、離れて位置するように構成することもできる。
【００３７】
なお、上述した実施例においては、床高調整ブロック４の上面４ａに、受台ブロック５を載置し、受台ブロック５の上面に、床下地パネル６を載置した例が示されているが、受台ブロック５を省略し、床下地パネル６を、直に、床高調整ブロック４の上面４ａに載置することもできる。
【００３８】
更に、断熱兼床高調整ブロック規制ボード２を、ビスや釘等の適当な固着具により、床スラブ１に固着することができる。
【００３９】
床構造が、床スラブ１の上面に配設された断熱兼床高調整ブロック規制ボード２と、該断熱兼床高調整ブロック規制ボード２に穿設された全ての円形孔Ｈ０、Ｈ１〜Ｈ４に挿着され、且つ、床スラブ１の上面に載置された、全て同じ高さｔ１’を有する防震ブロック３と、該防震ブロック３に載置された床高調整ブロック４とを有しているので、高さｔ２’が異なる床高調整ブロック４から、適当な高さを有する床高調整ブロック４を選択することにより、起伏を有する床スラブ１に施工される床構造の正確な水平出しを行うことができる。
【００４０】
また、断熱兼床高調整ブロック規制ボード２に穿設された円形孔Ｈ０、Ｈ１〜Ｈ４に、防震ブロック３の全部及び床高調整ブロック４の下部が挿着されているので、床構造の施工中に、防震ブロック３や床高調整ブロック４が水平移動するようなことがなく、従って、防震ブロック３を、床スラブ１にビスや釘等の固着具を用いて固着したり、床高調整ブロック４を、防震ブロック３にビスや釘等の固着具を用いて固着したりする必要がなく、よって、床構造の施工作業の作業性が向上する。
【００４１】
更に、床高調整ブロック４の４つの角部４ｂが、円形孔Ｈ０、Ｈ１〜Ｈ４の内周面Ｈ’に当接、或いは、円形孔Ｈ０、Ｈ１〜Ｈ４の内周面Ｈ’の近傍に位置するように構成するとともに、防震ブロック３の４つの角部３ｃが、円形孔Ｈ０、Ｈ１〜Ｈ４の内周面Ｈ’に当接、或いは、円形孔Ｈ０、Ｈ１〜Ｈ４の内周面Ｈ’の近傍に位置するように構成することにより、防震ブロック３や床高調整ブロック４の水平移動を更に抑制することができ、従って、床構造の施工作業の作業性が更に向上する。
【００４２】
床スラブ１の上面に配設された断熱兼床高調整ブロック規制ボード２に、多数の円形孔Ｈ０、Ｈ１〜Ｈ４を穿設し、次いで、基準水平面としての水平レーザービームｍ１から、基準となる１つの基準円形孔Ｈ０内に位置する床スラブ１までの基準高さＴ０及び基準円形孔Ｈ０以外の円形孔Ｈ１〜Ｈ４内に位置する床スラブ１の上面から、水平レーザービームｍ１までの高さＴ１、Ｔ２・・・を、それぞれ測定するとともに、基準高さＴ０と該基準円形孔Ｈ０以外の円形孔Ｈ１〜Ｈ４内に位置する床スラブ１の上面から、水平レーザービームｍ１までの高さＴ１、Ｔ２・・・との差Δｔ１（Ｔ０−Ｔ１）、Δｔ２（Ｔ０−Ｔ２）・・・を計算し、次いで、断熱兼床高調整ブロック規制ボード２に穿設された基準円形孔Ｈ０及び該基準円形孔Ｈ０以外の円形孔Ｈ１〜Ｈ４に、同じ高さｔ１’を有する防震ブロック３を、該防震ブロック３が、床スラブ１に載置されるように挿着し、その後、基準円形孔Ｈ０に、基準床高調整ブロック４０を、該基準床高調整ブロック４０が、防震ブロック３の上面３ａ１に載置されるように挿着し、更に、基準円形孔Ｈ０以外の円形孔Ｈ１〜Ｈ４には、上記の差Δｔ１（Ｔ０−Ｔ１）、Δｔ２（Ｔ０−Ｔ２）・・・を相殺するような高さｔ２’を有する床高調整ブロック４を載置するように構成したので、床スラブ１の全面に亘たって、床構造の正確な水平出しを行うことができる。
【００４３】
また、少なくとも、床高調整ブロック４の４つの角部４ｂが、円形孔Ｈ０、Ｈ１〜Ｈ４の内周面Ｈ’に当接、或いは、円形孔Ｈ０、Ｈ１〜Ｈ４の内周面Ｈ’の近傍に位置するように、床高調整ブロック４の下部を、断熱兼床高調整ブロック規制ボード２に穿設された円形孔Ｈ０、Ｈ１〜Ｈ４に挿着するように構成されているので、床構造の施工中における床高調整ブロック４の水平移動を抑制することができ、従って、床高調整ブロック４を、防震ブロック３にビスや釘等の固着具を用いて固着する必要がなく、よって、床構造の施工作業の作業性が向上する。
【００４４】
更に、従来のように、床下地パネル６の上面に、作業者が乗ることにより、湾曲した状態の床下地パネル６の上面に、水平器を載置して、床下地パネル６の水平出し作業を行うようなことがないので、床構造の正確な水平出しを行うことができる。
【００４５】
更にまた、従来のように、水平器を用いて、床下地パネル６の水平出しを行うのではなく、上述した床構造の施工方法により、反り返りや湾曲のない床高調整ブロック４の上面４ａの水平出しを行うようにしたので、同じく、反り返りや湾曲のない受台ブロック５を介して、床高調整ブロック４に載置される床下地パネル６自体が反り返っていたり、湾曲していても、精度の高い床下地パネル６の水平出しを行うことができる。なお、上述したように、床下地パネル６は、ビスや釘等の固着具により、受台ブロック５に固着されるので、床下地パネル６自体の反り返りや湾曲は矯正されることになる。
【００４６】
なお、上述した実施例には、断熱兼床高調整ブロック規制ボード２に、円形孔Ｈ０、Ｈ１〜Ｈ４が穿設されている例が示されているが、孔Ｈ０、Ｈ１〜Ｈ４の平面形状を、四角形や五角形等の多角形とすることもできる。
【図面の簡単な説明】
【００４７】
【図１】図１は、本発明の床構造の垂直断面図である。
【図２】図２は、本発明の床構造を構成する断熱兼床高調整ブロック規制ボードが敷き詰められた状態の平面図である。
【図３】図３は、線引きされた状態の図２の断熱兼床高調整ブロック規制ボードの平面図である。
【図４】図４は、円形孔が穿設された状態の図２の断熱兼床高調整ブロック規制ボードの平面図である。
【図５】図５は、本発明の床構造を施工する順序を説明するための垂直断面図である。
【図６】図６は、同じく、本発明の床構造を施工する順序を説明するための垂直断面図である。
【図７】図７は、本発明の床構造を構成する防震ブロックの斜視図である。
【図８】図８は、本発明の床構造を構成する防震ブロック、床高調整ブロック及び受台ブロックの分解斜視図である。
【図９】図９（ａ）は、本発明の床構造を構成する断熱兼床高調整ブロック規制ボードや防震ブロックの平面図であり、図９（ｂ）は、図９（ａ）の垂直断面図である。
【図１０】図１０（ａ）は、本発明の床構造を構成する断熱兼床高調整ブロック規制ボードや床高調整ブロックの平面図であり、図１０（ｂ）は、図１０（ａ）の垂直断面図である。
【図１１】図１１は、本発明の床構造を施工する順序を説明するための垂直断面図である。
【図１２】図１２（ａ）は、本発明の床構造を構成する断熱兼床高調整ブロック規制ボードや受台ブロックの平面図であり、図１２（ｂ）は、図１２（ａ）の垂直断面図である。
【符号の説明】
【００４８】
Ｈ０・・・・・・・・・・基準円形孔
Ｈ１〜Ｈ４・・・・・・・円形孔
Ｍ・・・・・・・・・・・レーザーレベル計
ｍ１・・・・・・・・・・レーザービーム
１・・・・・・・・・・・床スラブ
２・・・・・・・・・・・断熱兼床高調整ブロック規制ボード
３・・・・・・・・・・・防震ブロック
４・・・・・・・・・・・床高調整ブロック
４０・・・・・・・・・・基準床高調整ブロック
５・・・・・・・・・・・受台ブロック
６・・・・・・・・・・・床下地パネル
７・・・・・・・・・・・フローリング材
【図１】
2009174203.tif 000003
【図２】
2009174203.tif 000004
【図３】
2009174203.tif 000005
【図４】
2009174203.tif 000006
【図５】
2009174203.tif 000007
【図６】
2009174203.tif 000008
【図７】
2009174203.tif 000009
【図８】
2009174203.tif 000010
【図９】
2009174203.tif 000011
【図１０】
2009174203.tif 000012
【図１１】
2009174203.tif 000013
【図１２】
2009174203.tif 000014